(57)【要約】【課題】  基礎天端からＲＣ架台の下面までの隙間高さが低く、免震支承間の距離が長い場合でも、型枠の設置と脱型が容易で、低コストで施工できる底面施工用浮き型枠装置を提供する。【解決手段】  基礎１０上に免震支承１２を介して支持されるＲＣ造架台１３を現場打設するのに用いられ、基礎１０とＲＣ造架台１３の間にクリアランス１４が生じるようにＲＣ造架台１３の底面を成形する装置である。基礎１０上に隣合う免震支承１２，１２間に配置される支保工２と、この支保工２に支持されてＲＣ造架台１３の底面を成形する底型枠３を備える。各支保工２は、ＲＣ造架台１３の建物内外方向に延びる支保工本体４と、その長手方向の複数箇所に、転自在に設置されて支保工本体４から下方に突出し基礎１０の天端面上に乗る倒れ可能脚５とを有する。各倒れ可能脚５は、下方に突出して基礎１０の天端面に乗った状態から、建物の内側へのみ回転可能である。【選択図】      図１
2015086631.tif 000002
【特許請求の範囲】
【請求項１】
建物の布基礎状の基礎上に免震支承を介して支持されるＲＣ造架台を現場打設するときに用いられ、前記基礎とＲＣ造架台の間にクリアランスが生じるように前記ＲＣ造架台の底面を成形する免震層上部ＲＣ造架台の底面施工用浮き型枠装置であって、
前記基礎上に隣合う免震支承間に位置し、互いに前記基礎の長手方向に離れて配置される複数の支保工と、この支保工に支持されて前記ＲＣ造架台の底面を成形する底型枠とを備え、
前記各支保工は、前記ＲＣ造架台の前記建物の内外方向に延びる支保工本体と、この支保工本体の長手方向の複数箇所に、それぞれ前記長手方向と直交する水平な回転軸心回りに回転自在に設置されて前記支保工本体から下方に突出し前記基礎の天端面上に乗る倒れ可能脚とを有する、
ことを特徴とする免震層上部ＲＣ造架台の底面施工用浮き型枠装置。
【請求項２】
請求項１に記載の免震層上部ＲＣ造架台の底面施工用浮き型枠装置において、前記各倒れ可能脚は、前記下方に突出して前記基礎の天端面に乗った状態から、前記支保工本体の一方向へのみ回転可能とした免震層上部ＲＣ造架台の底面施工用浮き型枠装置。
【請求項３】
請求項１または請求項２に記載の免震層上部ＲＣ造架台の底面施工用浮き型枠装置において、前記底型枠は、前記基礎の長手方向に並ぶ複数の底型枠材からなり、前記各底型枠材は、隣合う底型枠材間の辺が、前記基礎の長手方向に対し直交する方向に対して傾斜した台形状である免震層上部ＲＣ造架台の底面施工用浮き型枠装置。
【請求項４】
請求項１ないし請求項３いずれか１項に記載の免震層上部ＲＣ造架台の底面施工用浮き型枠装置において、前記支保工本体の建物外側部分と中間部分と建物内側部分のうち、建物外側部分に下方へ突出して高さ調整が可能な高さ調整脚を設置し、前記中間部分と建物内側部分とに前記倒れ可能脚を設けた免震層上部ＲＣ造架台の底面施工用浮き型枠装置。
【発明の詳細な説明】
【技術分野】
【０００１】
この発明は、基礎上に免震支承を介して支持されるＲＣ造架台を現場打設するときに用いられ、前記基礎とＲＣ造架台の間にクリアランスが生じるように前記ＲＣ造架台の底面を成形する免震層上部ＲＣ造架台の底面施工用浮き型枠装置に関する。
【背景技術】
【０００２】
免震建物として、基礎上に免震支承を介してＲＣ造架台を設け、このＲＣ造架台上に建物本体を設置した構成のものがある。免震支承は間隔を置いて配置され、免震支承のない支承間部分では、ＲＣ造架台と基礎との間はクリアランスとされる。
前記のようなＲＣ造架台を現場打設で施工する方法としては、架台底部に底型枠と支保工を設けて打設を行う方法（以下、施工案Ａと称す）と、底型枠を捨て型枠として利用する方法（以下、施工案Ｂと称す）とがある。
【先行技術文献】
【特許文献】
【０００３】
【特許文献１】特開２０１３−１６７０５８号公報
【特許文献２】特開２００７−０７０８５９号公報
【特許文献３】特開２０１１−２４７０３２号公報
【発明の概要】
【発明が解決しようとする課題】
【０００４】
上記構成の免震建物において、基礎天端からＲＣ造架台の底面までの高さが低く、隣合う免震支承間のクリアランス部の長さが長い場合がある。このような場合、上記施工案Ａ，Ｂでは、以下のような問題が生じる。
〈施工案Ａ（支保工利用）の問題点〉
・施工時に支保工として利用できるものが殆ど無い。
・施工後に底型枠の撤去が難しい。
〈施工案Ｂ（捨て型枠利用）の問題点〉
・底型枠を捨て型枠として利用する施工方法は、型枠の再利用ができないので施工費用が高価になりやすい。
・隣合う免震支承間のクリアランス部の長さが長い場合、底型枠には高い面外剛性が必要になるので、施工には限界がある。
【０００５】
この発明の目的は、基礎天端からＲＣ架台の下面までの隙間高さが低く、免震支承間の距離が長い場合であっても、型枠の設置および脱型が容易で、低コストで施工できる免震層上部ＲＣ造架台の底面施工用浮き型枠装置を提供することである。
【課題を解決するための手段】
【０００６】
この発明の免震層上部ＲＣ造架台の底面施工用浮き型枠装置は、建物の布基礎状の基礎上に免震支承を介して支持されるＲＣ造架台を現場打設するときに用いられ、前記基礎とＲＣ造架台の間にクリアランスが生じるように前記ＲＣ造架台の底面を成形する免震層上部ＲＣ造架台の底面施工用浮き型枠装置であって、
前記基礎上に隣合う免震支承間に位置し、互いに前記基礎の長手方向に離れて配置される複数の支保工と、この支保工に支持されて前記ＲＣ造架台の底面を成形する底型枠とを備え、
前記各支保工は、前記ＲＣ造架台の前記建物の内外方向に延びる支保工本体と、この支保工本体の長手方向の複数箇所に、それぞれ前記長手方向と直交する水平な回転軸心回りに回転自在に設置されて前記支保工本体から下方に突出し前記基礎の天端面上に乗る倒れ可能脚とを有する。
【０００７】
この構成によると、前記支保工を、支保工本体の長手方向複数箇所に回転可能な倒れ可能脚を有する構成としたため、倒れ可能脚を回転させて倒れ状態とすることで、支保工の高さが低くなる。そのため、上部構造物の荷重がかからない状態で、支保工本体や底型枠がスライドできる。これにより底型枠を脱型できて、大きな力を要することなく簡単に脱型できる。前記倒れ可能脚を有するため、底型枠の設置も簡単に行える。このため、基礎天端からＲＣ造架台の下面までの隙間高さが低く、免震支承間の距離が長い場合でも、底型枠の設置および脱型が容易に行える。脱型した底型枠および支保工は再利用できるので、施工コストを低減できる。
【０００８】
この発明において、前記各倒れ可能脚は、前記下方に突出して前記基礎の天端面に乗った状態から、前記支保工本体の一方向へのみ回転可能としても良い。例えば、建物の内外のうち、脱型作業を行う側（一般的には建物外側）に対する反対側へのみ倒れ可能脚を回転可能とする。これにより、支保工本体が脱型作業を行う側へスライドするように、倒れ可能脚が倒れることになり、支保工の設置および脱型がより一層簡易に行える。
なお、倒れ可能脚を一方向へのみ回転可能に規制する構成は、倒れ可能脚の回転中心と倒れ可能脚が基礎天端に設置する位置との位置関係によるようにしても、またストッパを設ける構成としても良い。
【０００９】
この発明において、前記底型枠は、前記基礎の長手方向に並ぶ複数の底型枠材からなり、前記各底型枠材は、隣合う底型枠材間の辺が、前記基礎の長手方向に対し直交する方向に対して傾斜した台形状であっても良い。
このように台形状とした場合、底型枠を建物の外側等に引き出す脱型の作業を、より一層容易に行うことができる。
【００１０】
この発明において、前記支保工本体の建物外側部分と中間部分と建物内側部分のうち、建物外側部分に下方へ突出して高さ調整が可能な高さ調整脚を設置し、前記中間部分と建物内側部分とに前記倒れ可能脚を設けても良い。
この構成の場合、支保工が設置される基礎天端の凹凸に応じて高さ調整できる。また、高さ調整脚による支持作用で倒れ可能脚を支保工本体から下方に突出した状態に維持し易いと共に、脱型時には高さ調整脚を支保工本体内に没入させることにより、倒れ可能脚を建物内側へ容易に倒すことができる。
【発明の効果】
【００１１】
この発明の免震層上部ＲＣ造架台の底面施工用浮き型枠装置は、建物の布基礎状の基礎上に免震支承を介して支持されるＲＣ造架台を現場打設するときに用いられ、前記基礎とＲＣ造架台の間にクリアランスが生じるように前記ＲＣ造架台の底面を成形する免震層上部ＲＣ造架台の底面施工用浮き型枠装置であって、前記基礎上に隣合う免震支承間に位置し、互いに前記基礎の長手方向に離れて配置される複数の支保工と、この支保工に支持されて前記ＲＣ造架台の底面を成形する底型枠とを備え、前記各支保工は、前記ＲＣ造架台の前記建物の内外方向に延びる支保工本体と、この支保工本体の長手方向の複数箇所に、それぞれ前記長手方向と直交する水平な回転軸心回りに回転自在に設置されて前記支保工本体から下方に突出し前記基礎の天端面上に乗る倒れ可能脚とを有するため、基礎天端からＲＣ架台の下面までの隙間高さが低く、免震支承間の距離が長い場合であっても、型枠の設置および脱型が容易であり、また底型枠と支保工が再利用できて低コストで施工できる。
【図面の簡単な説明】
【００１２】
【図１】この発明の一実施形態にかかる免震層上部ＲＣ造架台の底面施工用浮き型枠装置を用いたＲＣ造架台の施工例を示す断面図である。
【図２】（Ａ）は同底面施工用浮き型枠装置における支保工の平面図、（Ｂ）は同正面図、（Ｃ）は同側面図である。
【図３】同底面施工用浮き型枠装置における支保工の正面側から見た部分拡大断面図である。
【図４】同底面施工用浮き型枠装置における支保工の側面側から見た部分拡大断面図である。
【図５】同底面施工用浮き型枠装置の設置途中の状態を示す斜視図である。
【図６】同底面施工用浮き型枠装置における支保工を裏面側から見た斜視図である。
【図７】同底面施工用浮き型枠装置における支保工の倒れ可能脚が倒れる前の状態と倒れた後の状態とを示す説明図である。
【図８】（Ａ）は同底面施工用浮き型枠装置を設置する前の基礎天端を示す平面図、（Ｂ）は同底面施工用浮き型枠装置を設置した後の基礎天端を示す平面図である。
【図９】同底面施工用浮き型枠装置の設置工程を示す斜視図である。
【図１０】同底面施工用浮き型枠装置を用いたＲＣ造架台の打設作業におけるＲＣ造架台ベース部の脱型工程を示す斜視図である。
【発明を実施するための形態】
【００１３】
この発明の一実施形態を図１ないし図１０と共に説明する。この免震層上部ＲＣ造架台の底面施工用浮き型枠装置１は、図１に示すように、建物の布基礎状の基礎１０上に免震支承１２を介して支持されるＲＣ造架台１３を現場打設するときに用いられ、基礎１０とＲＣ造架台１３の間にクリアランス１４が生じるようにＲＣ造架台１３の底面を成形する装置である。
【００１４】
免震支承１２は、例えば滑り支承であり、図８（Ａ）に平面図で示すように基礎１０上の長手方向に、間隔を開けて複数設置される。基礎１０上の隣合う免震支承１２，１２間の区間は、基礎１０とＲＣ造架台１３との間に前記クリアランス１４（図１）が生じる区間であり、ここでは支承間クリアランスと称す。図８（Ｂ）に示すように、この底面施工用浮き型枠装置１は、支承間クリアランスの間に位置して基礎１０上に配置され、図１のＲＣ造架台１３の長手方向の一部の底面の成形に用いられる。
【００１５】
図１において、この底面施工用浮き型枠装置１は、支保工２と、この支保工２に支持されてＲＣ造架台１３の底面を成形する底型枠３とを備える。同図における型枠１５はＲＣ造架台１３のベース部の立面を成形するものであり、型枠１６はＲＣ造架台１３の立上部の立面を成形するものである。
【００１６】
図２（Ａ）〜（Ｃ）は前記底面施工用浮き型枠装置１における支保工２の平面図、正面図および側面図を示し、図６は支保工２を裏面側から見た斜視図を示す。なお、これらの図において、矢印の方向は、建物の屋内外方向を示す。支保工２は、図５に示すように、基礎１０上に隣合う免震支承１２，１２間の支承間クリアランスに位置して、複数本が基礎１０の長手方向に互いに離れて平行に配置される。なお、図８（Ａ）は前記底面施工用浮き型枠装置１を設置する前の基礎１０の平面図を示し、図８（Ｂ）は同浮き型枠装置１を設置した後の基礎１０の平面図を示す。
【００１７】
図２および図６に示すように、支保工２は、ＲＣ造架台１３における建物の内外方向に延びる支保工本体４と、この支保工本体４の長手方向の複数箇所に設置されて基礎１０の天端面に乗る倒れ可能脚５とを有する。倒れ可能脚５は、換言すれば回転コマである。この実施形態における支保工２では、前記倒れ可能脚５のほかに、支保工本体４の長手方向の建物外側部分に設置されて下方へ突出する高さ調整が可能な高さ調整脚６を有する。
【００１８】
支保工本体４は溝型鋼などの断面コ字状の部材からなり、そのウェブ部の外面が底型枠３の支持面となる。倒れ可能脚５は、前記支保工本体４の溝内に配置され、支保工本体４の長手方向と直交する水平な回転軸心回りに回転自在に設置されて支保工本体４から下方に突出し、基礎１０の天端面に乗った状態から、建物の内側へのみ回転可能とされている。具体的には、前記支保工本体４の両フランジ部間に跨がって設けられるボルト７を支軸として、前記倒れ可能脚５が支保工本体４の溝内に回転自在に設置されている。ここでは、支保工本体４の建物外側部分に前記高さ調整脚６が設置され、支保工本体４の中間部分と建物内側部分とに前記倒れ可能脚５が設置される。なお、支保工本体４の建物外側部分にも前記倒れ可能脚５を設置することで、前記高さ調整脚６を省略しても良い。
【００１９】
倒れ可能脚５は、図３に拡大断面図で示すように、下方に突出して基礎１０の天端面に安定良く乗り、この状態で回転軸心となる前記ボルト７に対して建物内側に偏心した形状とされている。すなわち、倒れ可能脚５の下端５ａの中心が、前記ボルト７の軸心に対して支保工本体４の一端側（この例では建物内側）に偏心している。そのため、支保工本体４が建物外側に僅かでも引き出されると、建物内側に倒れて支保工本体４の溝内に没入する。これにより、支保工本体４から倒れ可能脚５が突出していた高さ分だけ支保工２およびこれに支持された底型枠３が降下することになる。なお、コンクリート打設時は、後述のように支保工本体４の端部が型枠１５（図１）の内面に当接することで、支保工本体４のスライドが阻止され、倒れ可能脚５が自由に倒れることが防止される。
【００２０】
高さ調整脚６は、図４に拡大断面図で示すように、支保工本体４のウェブ部内面に溶接されたナット８と、このナット８に螺合し頭部側が支保工本体４の下方に突出するボルト９とでなる。支保工２を基礎１０上に配置した状態で、高さ調整脚６の支保工本体４からの突出高さは、図７（Ａ）のように、前記倒れ可能脚５の突出高さに揃えられる。
【００２１】
また、この実施形態では、前記支保工本体４における両フランジ部の建物外側部分に引出し用孔１１（図２）が設けられており、この引出し用孔１１に支保工引出し治具（図示せず）を引っ掛けることで、支保工２を建物外側に引き出せるようにされている。
【００２２】
底型枠３は、その一方向の長さがＲＣ造架台１３のベース部の幅寸法に揃えられた板材であり、前記支保工２の複数本に支持されて前記ＲＣ造架台１３の底面を成形する。ここでは、例えば図８（Ｂ）のように、１つの底型枠３が５本の支保工２で支持される。この場合の支保工２の配列ピッチは、底型枠３の剛性によって異なる。底型枠３の材料としては、コンクリート型枠用合板や防錆処理された鋼板などを用いるのが望ましく、これにより底型枠３の再利用が可能となる。
【００２３】
また、底型枠３は、基礎１０の長手方向に並ぶ複数枚（ここでは３枚）の底型枠材３ａからなる。１つの底型枠３を構成する底型枠材３ａの数は、支承間クリアランスの長さによって異なり、支承間クリアランスが長いほど、底型枠材３ａの数は多くなる。各底型枠材３ａは、隣合う底型枠材３ａ，３ａ間に沿う辺が、図８（Ｂ）のように、基礎１０の長手方向に対して直交する方向に対し傾斜した台形状に形成されている。また、隣合う底型枠材３ａ，３ａ間に沿う辺は、１つの支保工２で支持するようにされる。このように台形状に形成することにより、底面施工用浮き型枠装置１を建物外側に脱型するとき、図８（Ｂ）の場合には、初めに中間位置の底型枠材３ａを建物外側に引出し、ついで左右位置の底型枠材３ａを引き出すという手順で行うことで、隣合う底型枠材３ａ，３ａ間での摩擦抵抗が小さくなり、脱型作業を容易に行うことができる。
【００２４】
次に、上記構成の底面施工用浮き型枠装置１を用いて免震層上部ＲＣ造架台１３を現場打設する施工工程を以下に説明する。
先ず、図９のように、基礎１０の隣合う免震支承１２，１２間に前記浮き型枠装置１を構成する複数本の支保工２、およびこれらの支保工２で支持される底型枠（複数枚の底型枠材３ａからなる）３を配置する。ここでは、隣合う免震支承１２，１２間の距離つまり支承間クリアランスの距離が長い場合を示し、この区間に５本の支保工２を並べ、その上に３枚の底型枠材３ａからなる底型枠３を載置する。このとき、各支保工２は基礎１０の建物屋内外方向に向く姿勢で基礎１０の長手方向に平行に並べられる。また、各支保工２では、図７（Ａ）のように、支保工本体４の溝内から倒れ可能脚５が下方に突出して基礎１０の天端面に乗っており、高さ調整脚６も倒れ可能脚５の突出高さに合わせて高さ調整され基礎１０の天端面に乗っている。これにより、支保工２の高さはその長手方向の全体にわたって同じ高さに揃えられ、これらの支保工２で支持される底型枠３の天端と免震支承１２の天端が合わせられる。なお、高さ調整脚６は、基礎１０の天端面に凹凸がある場合でも、その高さを調整することにより容易に対応できる。隣合う底型枠材３ａの継ぎ目部分には、必要に応じて養生テープ等でコンクリートのタレ防止処理を行う。
【００２５】
浮き型枠装置１の設置後には、図１のように、ＲＣ造架台１３の配筋、型枠１５，１６の組立、およびコンクリート打設を行う。図１において、ＲＣ造架台１３の鉄筋は、型枠１６を支持する手段を兼ねる鉄筋ベース１７のみを図示し、他の主鉄筋等の鉄筋は図示を省略している。
支保工２の両端部はＲＣ造架台１３の型枠１５の内面に接しているので、上部構造物の荷重で浮き型枠装置１が建物屋内外の方向にスライドすることはなく、支保工２の倒れ可能脚５も倒れることはない。この状態で養生することにより、ＲＣ造架台１３が成形される。
【００２６】
図１０は、ＲＣ造架台１３のベース部を成形する型枠１５を脱型した状態を示す。このとき、図７（Ｂ）のように支保工２における高さ調整脚６を支保工本体４の溝内に没入させ、支保工本体４の両フランジ部の引出し用孔１１に支保工引出し治具（図示せず）を引っ掛けて、支保工２を僅かに建物外側にスライドさせると、支保工２の倒れ可能脚５が建物内側に倒れて支保工本体４の溝内に没入するため、支保工本体４の下端が基礎１０の天端面に乗るところまで、支保工２とこれに支持された底型枠３が相対的に下方に降下する。これにより、底型枠３と支保工２とを大きな力を要することなく簡単に建物外側に撤去することができ、基礎１０とＲＣ造架台１３の間にクリアランス１４が生じるようにＲＣ造架台１３の底面を成形することができる。
【００２７】
この構成の底面施工用浮き型枠装置１によると、前記支保工２を、支保工本体４の長手方向複数箇所に回転可能な倒れ可能脚５を有する構成としたため、倒れ可能脚５を回転させて倒れ状態とすることで、支保工２の高さが低くなる。そのため、上部構造物の荷重がかからない状態で、支保工本体４や底型枠３がスライドでき、これにより底型枠３を脱型できて、大きな力を要することなく簡単に脱型できる。前記倒れ可能脚５を有するため、底型枠３の設置も簡単に行える。このため、基礎天端からＲＣ造架台１３の下面までのクリアランス１４の高さが低く、免震支承１２，１２間の距離が長い場合でも、底型枠３の設置および脱型が容易に行える。脱型した底型枠３および支保工２は再利用できるので、施工コストを低減できる。
【００２８】
これらのことから、この免震層上部ＲＣ造架台の底面施工用浮き型枠装置１によると、基礎１０上に免震支承１２を介して支持されるＲＣ造架台１３を現場打設するときに用いて、前記基礎１０とＲＣ造架台１３の間にクリアランス１４が生じるように前記ＲＣ造架台１３の底面を施工性良く、かつ低コストで成形できる。
【００２９】
また、この実施形態では、底型枠３が基礎１０の長手方向に並ぶ複数枚の底型枠材３ａからなり、各底型枠材３ａを、隣合う底型枠材３ａ，３ａ間に沿う辺が基礎１０の長手方向に対して傾斜した台形状としているので、底面施工用浮き型枠装置１の脱型において底型枠３を建物の外側に引き出す作業を容易に行うことができる。
【００３０】
さらに、この実施形態では、支保工本体４の建物外側部分と中間部分と建物内側部分のうち、建物外側部分に下方へ突出して高さ調整が可能な高さ調整脚６を設置し、前記中間部分と建物内側部分とに倒れ可能脚５を設けているので、基礎１０の天端面に凹凸がある場合でも、その高さを調整することにより容易に対応できる。また、高さ調整脚６による支持作用で倒れ可能脚５を支保工本体４から下方に突出した状態に維持し易いと共に、脱型時には高さ調整脚６を支保工本体４内に没入させることにより、倒れ可能脚５を建物内側へ容易に倒すことができる。
【符号の説明】
【００３１】
１…浮き型枠装置
２…支保工
３…底型枠
３ａ…底型枠材
４…支保工本体
５…倒れ可能脚
６…高さ調整脚
７…ボルト
１０…基礎
１１…引出し用孔
１２…免震支承
１３…ＲＣ造架台
１４…クリアランス
１５，１６…型枠
【図１】
2015086631.tif 000003
【図２】
2015086631.tif 000004
【図３】
2015086631.tif 000005
【図４】
2015086631.tif 000006
【図５】
2015086631.tif 000007
【図６】
2015086631.tif 000008
【図７】
2015086631.tif 000009
【図８】
2015086631.tif 000010
【図９】
2015086631.tif 000011
【図１０】
2015086631.tif 000012